(57)【要約】【課題】大型化するのを抑制することが可能な発光ダイオードアレイを提供する。【解決手段】この発光ダイオードアレイ１は、ｎ型基板２上に形成された複数の発光部１１と、複数の発光部１１を互いに分離するためのエッチング溝１２と、発光部１１の所定領域上に配置されたｐ側電極９とを備えている。複数の発光部１１は、光を出射するための光出射領域１１ａが設けられた幅細部１１ｂと、幅細部１１ｂに連続するように設けられた幅太部１１ｃとを含み、複数の発光部１１は、複数の一対の発光部１１ｄおよび１１ｅにより構成され、発光部１１ｄの幅太部１１ｃは、一対の発光部１１ｄおよび１１ｅの両方の幅細部１１ｂのＢ方向の一方側（矢印Ｂ１方向）に形成されており、発光部１１ｅの幅太部１１ｃは、一対の発光部１１ｄおよび１１ｅの両方の幅細部１１ｂのＢ方向の他方側（矢印Ｂ２方向）に形成されている。【選択図】図３
2009141201.tif 000002
【特許請求の範囲】
【請求項１】
基板上に形成された複数の発光部と、
前記複数の発光部を互いに分離するためのエッチング溝と、
前記発光部の所定領域上に配置された電極とを備え、
前記複数の発光部は、光を出射するための光出射領域が設けられた第１領域と、前記第１領域に連続するように設けられた第２領域とを含み、
前記複数の発光部の第１領域の光出射領域の中心は、第１の方向に所定のピッチで列状に配置され、
前記複数の発光部は、複数の一対の発光部により構成され、
前記一対の発光部のうちの一方の第２領域は、前記一対の発光部の両方の第１領域の前記第１の方向と直交する第２の方向の一方側に配置されており、
前記一対の発光部のうちの他方の第２領域は、前記一対の発光部の両方の第１領域の前記第２の方向の他方側に配置されていることを特徴とする発光ダイオードアレイ。
【請求項２】
前記エッチング溝は、一対の発光部のうちの一方の発光部と他方の発光部との間において、屈曲した形状に形成されていることを特徴とする請求項１に記載の発光ダイオードアレイ。
【請求項３】
前記発光部の第２領域の前記第１の方向の幅は、前記発光部の第１領域の前記第１の方向の幅の２倍以上の大きさであることを特徴とする請求項１または２に記載の発光ダイオードアレイ。
【請求項４】
前記発光部の第２領域の前記第１の方向の幅は、前記一対の発光部により構成される一対の第１領域の前記第１の方向の一方端から他方端までの距離と同じ大きさであることを特徴とする請求項３に記載の発光ダイオードアレイ。
【請求項５】
前記発光ダイオードアレイは、１２００ｄｐｉ以上の解像度を有するプリンタに用いられることを特徴とする請求項１〜４のいずれかに記載の発光ダイオードアレイ。
【発明の詳細な説明】
【技術分野】
【０００１】
この発明は、発光ダイオードアレイに関し、特に、複数の発光部を備えた発光ダイオードアレイに関する。
【背景技術】
【０００２】
従来、複数の発光部を備えた発光ダイオードアレイが知られている（たとえば、特許文献１参照）。
【０００３】
図６は、上記特許文献１に開示された発光ダイオードアレイの構造を示した平面図である。上記特許文献１には、図６に示すように、基板１０１上に形成された複数の発光部１０２と、複数の発光部１０２を互いに分離するためのエッチング溝１０３と、発光部１０２の所定領域上に一部が配置された電極１０４とを備えた発光ダイオードアレイ１００が開示されている。この発光ダイオードアレイ１００は、ＬＥＤ（発光ダイオード）プリンタのプリンタヘッドなどに用いられる。
【０００４】
上記特許文献１の発光ダイオードアレイ１００では、複数の発光部１０２は、略正方形状を有しているとともに、Ａ方向（発光ダイオードアレイ１００の延びる方向）に沿って、所定のピッチ（＝Ｐ１０１）で一列状に配置されている。また、各発光部１０２は、電極１０４に覆われていない２つの光出射領域１０２ａを有する。エッチング溝１０３は、発光部１０３間において、直線状に形成されている。電極１０４は、発光部１０２のＢ方向の一方側に配置された一方電極１０４ａと、発光部１０２のＢ方向の他方側に配置された他方電極１０４ｂとからなる。そして、一方電極１０４ａおよび他方電極１０４ｂは、複数の発光部１０２に交互に接続されている。
【０００５】
上記特許文献１の発光ダイオードアレイ１００は、例えば６００ｄｐｉ（ｄｏｔｓ  ｐｅｒ  ｉｎｃｈ）程度の解像度が必要なプリンタに用いられる。この場合、複数の発光部１０２は、Ａ方向に約４２．３μｍのピッチ（＝Ｐ１０１）で配置される。
【０００６】
また、近年、プリンタは、例えば１２００ｄｐｉや２４００ｄｐｉなどの高い解像度が要求されている。図７は、高い解像度を有するプリンタに用いられる従来の発光ダイオードアレイの構造を示した平面図である。図８は、図７に示した従来の発光ダイオードアレイの発光部の構造を示した平面図である。従来の発光ダイオードアレイ２００は、図７に示すように、基板２０１上に形成された複数の発光部２０２と、複数の発光部２０２を互いに分離するためのエッチング溝２０３と、発光部２０２の所定領域上に一部が配置された電極２０４とを備えている。
【０００７】
従来の発光ダイオードアレイ２００では、図８に示すように、複数の発光部２０２は、略長方形状を有しているとともに、Ａ方向（発光ダイオードアレイ２００の延びる方向）に沿って、所定のピッチ（＝Ｐ２０１）で一列状に配置されている。また、各発光部２０２は、図７に示すように、電極２０４に覆われていない２つの光出射領域２０２ａを有する。エッチング溝２０３は、発光部２０２間において、直線状に形成されている。電極２０４は、発光部２０２のＢ方向の一方側に配置された一方電極２０４ａと、発光部２０２のＢ方向の他方側に配置された他方電極２０４ｂとからなる。そして、一方電極２０４ａおよび他方電極２０４ｂは、複数の発光部２０２に交互に接続されている。
【０００８】
この従来の発光ダイオードアレイ２００は、例えば１２００ｄｐｉや２４００ｄｐｉなどの高い解像度が必要なプリンタに用いられる。
【０００９】
プリンタの解像度が１２００ｄｐｉの場合、複数の発光部２０２は、Ａ方向に沿って約２１．２μｍのピッチ（＝Ｐ２０１（図８参照））で配置される。このとき、発光部２０２は、Ａ方向に沿って、例えば約１０μｍの幅（＝Ｗ２０１（図８参照））を有するとともに、Ｂ方向に沿って、例えば約５０μｍの長さ（＝Ｌ２０１（図８参照））を有するように形成される。
【００１０】
また、プリンタの解像度が２４００ｄｐｉの場合、複数の発光部２０２は、Ａ方向に沿って約１０．６μｍのピッチ（＝Ｐ２０１）で配置される。このとき、発光部２０２は、Ａ方向に沿って、例えば約６μｍの幅（＝Ｗ２０１）を有するとともに、Ｂ方向に沿って、例えば約８０μｍの長さ（＝Ｌ２０１）を有するように形成される。
【００１１】
上記従来の発光ダイオードアレイ２００のように、プリンタの解像度の向上に伴って発光部のピッチを小さくすると、各発光部のＡ方向の幅が小さくなり、各発光部の面積が小さくなる。このため、ダイオードの順方向電圧（ＶＦ）が上昇したり、電流密度の増加により長期信頼性が低下する。そこで、従来の発光ダイオードアレイ２００では、順方向電圧（ＶＦ）が上昇したり、電流密度の増加による長期信頼性が低下するのを抑制するために、各発光部２０２のＢ方向の長さ（＝Ｌ２０１）を、例えば上記特許文献１の発光ダイオードアレイ１００の発光部１０２のＢ方向の長さに比べて大きくなるように形成して、各発光部２０２の面積が小さくなるのを抑制している。
【特許文献１】特開平１１−４６０１７号公報
【発明の開示】
【発明が解決しようとする課題】
【００１２】
しかしながら、従来の発光ダイオードアレイ２００では、順方向電圧（ＶＦ）が上昇したり、電流密度の増加による長期信頼性が低下するのを抑制するために、発光部２０２をＢ方向の長さ（＝Ｌ２０１）が大きくなるように形成しているので、発光ダイオードアレイ２００が大型化するという問題点がある。
【００１３】
この発明は、上記のような課題を解決するためになされたものであり、この発明の目的は、大型化するのを抑制することが可能な発光ダイオードアレイを提供することである。
【課題を解決するための手段】
【００１４】
上記目的を達成するために、この発明の一の局面による発光ダイオードアレイは、基板上に形成された複数の発光部と、複数の発光部を互いに分離するためのエッチング溝と、発光部の所定領域上に配置された電極とを備え、複数の発光部は、光を出射するための光出射領域が設けられた第１領域と、第１領域に連続するように設けられた第２領域とを含み、複数の発光部の第１領域の光出射領域の中心は、第１の方向に所定のピッチで列状に配置され、複数の発光部は、複数の一対の発光部により構成され、一対の発光部のうちの一方の第２領域は、一対の発光部の両方の第１領域の第１の方向と直交する第２の方向の一方側に配置されており、一対の発光部のうちの他方の第２領域は、一対の発光部の両方の第１領域の第２の方向の他方側に配置されている。
【００１５】
この一の局面による発光ダイオードアレイでは、上記のように、一対の発光部のうちの一方の第２領域を、一対の発光部の両方の第１領域の第２の方向の一方側に配置し、一対の発光部のうちの他方の第２領域を、一対の発光部の両方の第１領域の第２の方向の他方側に配置することによって、発光部の第２領域を、一対の発光部の両方の第１領域の第２の方向の一方側または他方側に配置することができる。すなわち、発光部の第２領域を、２ドットに跨って形成することができる。これにより、発光部の第２領域の第１の方向の幅を大きくすることができるので、発光部の第２の方向の長さが大きくなるのを抑制しながら、発光部の面積が小さくなるのを抑制することができる。その結果、発光部の第１の方向のピッチを小さくする場合にも、発光ダイオードアレイが大型化するのを抑制することができる。
【００１６】
上記一の局面による発光ダイオードアレイにおいて、好ましくは、エッチング溝は、一対の発光部のうちの一方の発光部と他方の発光部との間において、屈曲した形状に形成されている。このように構成すれば、一対の発光部の第１領域を、第１の方向に所定のピッチで配置しながら、一対の発光部の第２領域を、一対の発光部の両方の第１領域の第２の方向の一方側または他方側に、容易に配置することができる。
【００１７】
上記一の局面による発光ダイオードアレイにおいて、好ましくは、発光部の第２領域の第１の方向の幅は、発光部の第１領域の第１の方向の幅の２倍以上の大きさである。このように構成すれば、発光部の第２領域を、容易に、２ドットに跨って形成することができるとともに、発光部の第２領域の第１の方向の幅を、十分に、大きくすることができる。
【００１８】
上記一の局面による発光ダイオードアレイにおいて、好ましくは、発光部の第２領域の第１の方向の幅は、一対の発光部により構成される一対の第１領域の第１の方向の一方端から他方端までの距離と同じ大きさである。このように構成すれば、発光部の第２領域の第１の方向の幅を、最も大きくすることができるので、発光部の第２の方向の長さを最も小さくすることができる。これにより、発光ダイオードアレイが大型化するのを最も抑制することができる。
【００１９】
上記一の局面による発光ダイオードアレイにおいて、好ましくは、発光ダイオードアレイは、１２００ｄｐｉ以上の解像度を有するプリンタに用いられる。このように構成すれば、発光ダイオードアレイが大型化するのを、効果的に抑制することができる。
【発明の効果】
【００２０】
以上のように、本発明によれば、大型化するのを抑制することが可能な発光ダイオードアレイを容易に得ることができる。
【発明を実施するための最良の形態】
【００２１】
図１は、本発明の一実施形態による発光ダイオードアレイの構造を示した平面図である。図２は、図１の３００−３００線に沿った断面図である。図３〜図５は、図１に示した一実施形態による発光ダイオードアレイの詳細構造を示した平面図である。図１〜図５を参照して、本発明の一実施形態による発光ダイオードアレイ１の構造について説明する。なお、本実施形態では、発光ダイオードアレイ１が、２４００ｄｐｉの高い解像度を有するＬＥＤプリンタ（図示せず）に用いられる場合について説明する。
【００２２】
本発明の一実施形態による発光ダイオードアレイ１は、図１に示すように、Ａ方向に延びる略長方形状に形成されている。また、発光ダイオードアレイ１は、図２に示すように、ｎ型基板２と、ｎ型基板２上に形成されたｎ型バッファ層３および分布ブラッグ反射層（ＤＢＲ層：Ｄｉｓｔｒｉｂｕｔｅｄ  Ｂｒａｇｇ  Ｒｅｆｌｅｃｔｏｒ層）４と、分布ブラッグ反射層４上の所定領域に形成されたｎ型クラッド層５、発光層６およびｐ型クラッド層７と、分布ブラッグ反射層４およびｐ型クラッド層７の所定領域上に形成された絶縁層８と、絶縁層８上の所定領域上に形成された複数のｐ側電極９と、ｎ型基板２の下面上に形成されたｎ側電極１０とによって構成されている。なお、ｎ型基板２は、本発明の「基板」の一例であり、ｐ側電極９は、本発明の「電極」の一例である。また、Ａ方向は、本発明の「第１の方向」の一例であり、後述するＢ方向は、本発明の「第２の方向」の一例である。
【００２３】
また、発光ダイオードアレイ１は、図２および図４に示すように、ｎ型クラッド層５、発光層６およびｐ型クラッド層７（図２参照）の一部によって構成された島状の複数の発光部１１と、複数の発光部１１の間に設けられたエッチング溝１２とを含んでいる。
【００２４】
ここで、本実施形態では、図４に示すように、各発光部１１は、光を出射するための２つの光出射領域１１ａが設けられる幅細部１１ｂと、幅細部１１ｂに連続するように設けられた幅太部１１ｃとによって構成されている。なお、幅細部１１ｂは、本発明の「第１領域」の一例であり、幅太部１１ｃは、本発明の「第２領域」の一例である。
【００２５】
発光部１１の２つの光出射領域１１ａは、１つのドットを構成している。また、図３に示すように、発光部１１の２つの光出射領域１１ａ以外の上面は、ｐ側電極９に覆われている。
【００２６】
また、図４に示すように、２つの光出射領域１１ａが設けられる幅細部１１ｂは、Ａ方向に約１０．６μｍのピッチ（＝Ｐ１）で配置されている。すなわち、各発光部１１の２つの光出射領域１１ａの中心Ｏ１は、Ａ方向に約１０．６μｍのピッチ（＝Ｐ１）で一列状に配置されている。
【００２７】
また、幅細部１１ｂおよび幅太部１１ｃは、共に、Ａ方向に直交するＢ方向に延びる略長方形状に形成されている。具体的には、幅細部１１ｂは、Ａ方向に沿って、例えば約６μｍの幅（＝Ｗ１）を有するとともに、Ｂ方向に沿って、例えば約１２．８μｍの長さ（＝Ｌ１）を有する。また、幅太部１１ｃは、Ａ方向に沿って、例えば約１６．６μｍの幅（＝Ｗ２）を有するとともに、Ｂ方向に沿って、例えば約２４．３μｍの長さ（＝Ｌ２）を有する。すなわち、幅太部１１ｃのＡ方向の幅（＝Ｗ２）は、幅細部１１ｂのＡ方向の幅（＝Ｗ１）の２倍以上の大きさである。そして、各発光部１１は、Ａ方向に沿って、例えば約１６．６μｍの幅（＝Ｗ２）を有するとともに、Ｂ方向に沿って、例えば約３７．１μｍの長さ（＝Ｌ３）を有する。
【００２８】
また、本実施形態では、複数の発光部１１は、複数の一対の発光部１１ｄおよび１１ｅにより構成されている。そして、発光部１１ｄの幅太部１１ｃは、一対の発光部１１ｄおよび１１ｅの両方の幅細部１１ｂのＢ方向の一方側（矢印Ｂ１方向）に配置されている。また、発光部１１ｅの幅太部１１ｃは、一対の発光部１１ｄおよび１１ｅの両方の幅細部１１ｂのＢ方向の他方側（矢印Ｂ２方向）に配置されている。
【００２９】
また、一対の発光部１１ｄおよび１１ｅの幅細部１１ｂは、約４．６μｍの間隔を隔てて配置されている。また、一対の発光部１１ｄおよび１１ｅにより構成される一対の幅細部１１ｂのＡ方向の一方端から他方端までの距離（＝Ｗ３）は、約１６．６μｍである。すなわち、一対の発光部１１ｄおよび１１ｅにより構成される一対の幅細部１１ｂのＡ方向の一方端から他方端までの距離（＝Ｗ３）は、各発光部１１の幅太部１１ｃのＡ方向の幅（＝Ｗ２）と同じ大きさである。
【００３０】
また、一対の発光部１１ｄおよび１１ｅが配置された領域は、Ａ方向に沿って、例えば約１６．６μｍの幅（＝Ｗ２）を有するとともに、Ｂ方向に沿って、例えば約６６μｍの長さ（＝Ｌ４）を有する。
【００３１】
エッチング溝１２は、図３に示すように、約４．６μｍの幅を有するとともに、複数の発光部１１を互いに分離するために設けられている。具体的には、エッチング溝１２は、一対の発光部１１（１１ｄおよび１１ｅ）と、隣接する一対の発光部１１（１１ｄおよび１１ｅ）との間において、Ｂ方向に延びる直線部１２ａにより形成されている。そして、直線部１２ａにより、一対の発光部１１（１１ｄおよび１１ｅ）と、隣接する一対の発光部１１（１１ｄおよび１１ｅ）とがＡ方向に分離されている。また、エッチング溝１２は、発光部１１ｄと発光部１１ｅとの間において、Ａ方向に延びる２つの直線部１２ｂと、２つの直線部１２ｂを接続するとともにＢ方向に延びる直線部１２ｃとにより、屈曲した形状に形成されている。そして、直線部１２ｂにより、発光部１１ｄおよび１１ｅがＢ方向に分離されている。また、直線部１２ｃにより、発光部１１ｄおよび１１ｅの幅細部１１ｂ（光出射領域１１ａ）がＡ方向に分離されている。
【００３２】
複数のｐ側電極９は、図１に示すように、複数の発光部１１毎に設けられている。また、ｐ側電極９は、発光部１１の幅細部１１ｂの光出射領域１１ａ以外の上面上と、幅太部１１ｃの全面上とを覆うように形成されているとともに、発光部１１のＢ方向の外側に突出するように形成されている。このｐ側電極９は、発光部１１が発光した際に光出射領域１１ａ以外の部分から光が出射するのを防止する機能も有する。
【００３３】
また、ｐ側電極９は、図５に示すように、発光部１１の幅細部１１ｂにおいて、Ｉ字形状（工字形状）に形成されている。また、ｐ側電極９は、図２および図５に示すように、発光部１１の幅細部１１ｂ（図５参照）において、コンタクトホール８ａ（絶縁層８の開口部）を介して、ｐ型クラッド層７（図２参照）に電気的に接続されている。なお、ｐ側電極９とｐ型クラッド層７との間に、オーミック接触が可能なコンタクト層などを設けてもよい。
【００３４】
また、ｐ側電極９は、図１に示すように、発光部１１ｄに接続された一方電極９ａと、発光部１１ｅに接続された他方電極９ｂとからなる。すなわち、一方電極９ａおよび他方電極９ｂは、複数の発光部１１（１１ｄおよび１１ｅ）に交互に接続されている。また、一方電極９ａは、発光部１１ｄおよび１１ｅのＢ方向の一方側（矢印Ｂ１方向）に配置されている。また、他方電極９ｂは、発光部１１ｄおよび１１ｅのＢ方向の他方側（矢印Ｂ２方向）に配置されている。また、一方電極９ａおよび他方電極９ｂの発光部１１ｄおよび１１ｅのＢ方向の一方側および他方側に配置された部分は、図２に示すように、ｎ型クラッド層５、発光層６およびｐ型クラッド層７のうちの、発光部１１を構成していない部分の上を覆うように形成されているとともに、ワイヤーボンディング用のボンディングパッドとしての機能を有する。
【００３５】
本実施形態では、上記のように、発光部１１ｄの幅太部１１ｃを、一対の発光部１１ｄおよび１１ｅの両方の幅細部１１ｂのＢ方向の一方側（矢印Ｂ１方向）に配置し、発光部１１ｅの幅太部１１ｃを、一対の発光部１１ｄおよび１１ｅの両方の幅細部１１ｂのＢ方向の他方側（矢印Ｂ２方向）に配置することによって、発光部１１の幅太部１１ｃを、２ドットに跨って形成することができるので、発光部１１の幅太部１１ｃのＡ方向の幅（＝Ｗ２）を大きくすることができる。これにより、発光部１１のＢ方向の長さ（＝Ｌ３）、および、一対の発光部１１（１１ｄおよび１１ｅ）が配置される領域のＢ方向の長さ（＝Ｌ４）が大きくなるのを抑制しながら、発光部１１の面積が小さくなるのを抑制することができる。その結果、発光部１１のＡ方向のピッチＰ１を小さくした場合にも、発光ダイオードアレイ１が大型化するのを抑制することができる。
【００３６】
また、本実施形態では、エッチング溝１２を、発光部１１ｄと発光部１１ｅとの間において、屈曲した形状に形成することによって、一対の発光部１１ｄおよび１１ｅの幅細部１１ｂを、直線部１２ｃにより、Ａ方向に所定のピッチＰ１で配置しながら、一対の発光部１１ｄおよび１１ｅの幅太部１１ｃを、直線部１２ｂにより、一対の発光部１１ｄおよび１１ｅの両方の幅細部１１ｂのＢ方向の一方側（矢印Ｂ１方向）または他方側（矢印Ｂ２方向）に、容易に配置することができる。
【００３７】
また、本実施形態では、発光部１１の幅太部１１ｃのＡ方向の幅（＝Ｗ２）を、発光部１１の幅細部１１ｂのＡ方向の幅（＝Ｗ１）の２倍以上の大きさにすることによって、発光部１１の幅太部１１ｃを、容易に、２ドットに跨って形成することができるとともに、発光部１１の幅太部１１ｃのＡ方向の幅（＝Ｗ２）を、十分に、大きくすることができる。
【００３８】
また、本実施形態では、発光部１１の幅太部１１ｃのＡ方向の幅（＝Ｗ２）を、一対の発光部１１ｄおよび１１ｅにより構成される一対の幅細部１１ｂのＡ方向の一方端から他方端までの距離（＝Ｗ３）と同じ大きさにすることによって、発光部１１の幅太部１１ｃのＡ方向の幅（＝Ｗ２）を、最も大きくすることができるので、発光部１１のＢ方向の長さ（＝Ｌ３）、および、一対の発光部１１（１１ｄおよび１１ｅ）が配置される領域のＢ方向の長さ（＝Ｌ４）を最も小さくすることができる。これにより、発光ダイオードアレイ１が大型化するのを最も抑制することができる。
【００３９】
また、本実施形態では、発光ダイオードアレイ１を、２４００ｄｐｉの解像度を有するプリンタに用いることによって、発光ダイオードアレイ１が大型化するのを、効果的に抑制することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、発光ダイオードアレイを、ＬＥＤプリンタに用いた例について示したが、本発明はこれに限らず、発光ダイオードアレイを、ＬＥＤプリンタ以外の機器に用いてもよい。
【００４２】
また、上記実施形態では、発光ダイオードアレイを、２４００ｄｐｉの解像度を有するＬＥＤプリンタに用いた例について示したが、本発明はこれに限らず、発光ダイオードアレイを、２４００ｄｐｉよりも大きい解像度を有するＬＥＤプリンタに用いてもよいし、１２００ｄｐｉ以下の解像度を有するＬＥＤプリンタに用いてもよい。なお、発光ダイオードアレイを１２００ｄｐｉの解像度を有するＬＥＤプリンタに用いる場合、従来の発光ダイオードアレイ２００のＢ方向の長さ（＝Ｌ２０１）が約５０μｍであったのに対して、本発明の発光ダイオードアレイでは、発光部のＢ方向の長さを約４０μｍにすることが可能である。
【００４３】
また、上記実施形態では、発光部の２つの光出射領域の中心が、Ａ方向に一列状に配置された発光ダイオードアレイに本発明を適用した例について示したが、本発明はこれに限らず、発光部の２つの光出射領域の中心が、Ａ方向に二列以上に配置された発光ダイオードアレイに本発明を適用してもよい。
【００４４】
また、上記実施形態では、エッチング溝の幅を約４．６μｍにした例について示したが、本発明はこれに限らず、エッチング溝の幅を、約４．６μｍよりも小さくしてもよい。この場合、発光部（発光ダイオードアレイ）のＢ方向の長さを、さらに小さくすることができる。
【図面の簡単な説明】
【００４５】
【図１】本発明の一実施形態による発光ダイオードアレイの構造を示した平面図である。
【図２】図１の３００−３００線に沿った断面図である。
【図３】図１に示した一実施形態による発光ダイオードアレイの発光部周辺の詳細構造を示した平面図である。
【図４】図１に示した一実施形態による発光ダイオードアレイの発光部の詳細構造を示した平面図である。
【図５】図１に示した一実施形態による発光ダイオードアレイの発光部の幅細部の詳細構造を示した平面図である。
【図６】特許文献１に開示された発光ダイオードアレイの構造を示した平面図である。
【図７】高い解像度を有するプリンタに用いられる従来の発光ダイオードアレイの構造を示した平面図である。
【図８】図７に示した従来の発光ダイオードアレイの発光部の構造を示した平面図である。
【符号の説明】
【００４６】
１  発光ダイオードアレイ
２  ｎ型基板（基板）
９  ｐ側電極（電極）
１１、１１ｄ、１１ｅ  発光部
１１ａ  光出射領域
１１ｂ  幅細部（第１領域）
１１ｃ  幅太部（第２領域）
１２  エッチング溝
Ｏ１  中心
Ｐ１  ピッチ
【図１】
2009141201.tif 000003
【図２】
2009141201.tif 000004
【図３】
2009141201.tif 000005
【図４】
2009141201.tif 000006
【図５】
2009141201.tif 000007
【図６】
2009141201.tif 000008
【図７】
2009141201.tif 000009
【図８】
2009141201.tif 000010